(57)【要約】      （修正有）【課題】配管サポートの振動による損傷を抑制する構造を提供する。【解決手段】複数の配管１を、それぞれサポート部材を介して支持する配管支持装置であって、配管に固定されている複数の逆Ｕ字状のラグ２Ａ，２Ｂ，２Ｃ，２Ｄと、ラグのそれぞれを支持する配管サポート鋼材３Ａ，３Ｂ，３Ｃ，３Ｄとから成ると共に、配管サポート鋼材が建屋壁４に固定されているものであり、かつ、振動抑制手段は、配管サポート鋼材とラグの少なくともいずれか一方の支持部にフッ素加工が施されているか、或いは、振動抑制手段は、配管が振動した際に、その振動を受ける前記配管サポート鋼材に固定されたアタッチメント式補強材である。【選択図】図１
2016094947.tif 000002
【特許請求の範囲】
【請求項１】
複数の配管を、それぞれサポート部材を介して支持する配管支持装置であって、
前記配管が振動した際の前記サポート部材の振動を抑制する振動抑制手段を備えていることを特徴とする配管支持装置。
【請求項２】
請求項１に記載の配管支持装置において、
前記配管支持装置は、前記配管に固定されている複数の逆Ｕ字状のラグと、該ラグのそれぞれを支持する配管サポート鋼材とから成ると共に、前記配管サポート鋼材が建屋壁に固定されているものであり、かつ、前記振動抑制手段は、前記配管サポート鋼材と前記ラグの少なくともいずれか一方の支持部にフッ素加工が施されているものであることを特徴とする配管支持装置。
【請求項３】
請求項１に記載の配管支持装置において、
前記配管支持装置は、前記配管に固定されている複数の逆Ｕ字状のラグと、該ラグのそれぞれを支持する配管サポート鋼材とから成ると共に、前記配管サポート鋼材が建屋壁に固定されているものであり、かつ、前記振動抑制手段は、前記配管が振動した際に、その振動を受ける前記配管サポート鋼材に固定されたアタッチメント式補強材であることを特徴とする配管支持装置
【請求項４】
請求項３に記載の配管支持装置において、
前記配管サポート鋼材と前記ラグの少なくともいずれか一方の支持部にフッ素加工が施されていることを特徴とする配管支持装置。
【請求項５】
請求項３又は４に記載の配管支持装置において、
前記アタッチメント式補強材は、前記配管サポート鋼材に設置される補強材クランプ部と、該補強材クランプ部に一端が固定されている補強材アーム部と、該補強材アーム部の他端に固定されている補強材基礎部とから成り、前記補強材基礎部が前記建屋壁に密着するように設置されることを特徴とする配管支持装置。
【請求項６】
請求項５に記載の配管支持装置において、
前記補強材クランプ部は、ボルトナット構造の締結部を用いて前記配管サポート鋼材に固定されていることを特徴とする配管支持装置。
【発明の詳細な説明】
【技術分野】
【０００１】
本発明は配管支持装置に係り、特に、発電、化学及び石油等のプラント全般で敷設される各種配管を支持するものに好適な配管支持装置に関する。
【背景技術】
【０００２】
配管支持装置の１例として、原子力発電プラントにおける配管サポート技術が、特許文献１に記載されている。
【０００３】
この特許文献１には、配管の高サイクル振動により、サポートとプレートの間に摩擦が生じ摩耗粉が発生し、配管の振動と摩擦粉によりフレッテング疲労が生じ、サポートのき裂が生じるのを防止するために、配管と接触するプレート取付け部位に振動吸収材を設置することが記載されている。
【先行技術文献】
【特許文献】
【０００４】
【特許文献１】特開２００１−２４１５６８号公報
【発明の概要】
【発明が解決しようとする課題】
【０００５】
しかしながら、特許文献１に記載されている配管サポート技術では、プラント運転に伴い、配管内部の流体脈動の影響による配管振動が生じた際に、その振動が、配管サポートへ伝播し、その結果、配管サポートを固定する溶接部の疲労損傷が発生する恐れがある。
【０００６】
本発明は上述の点に鑑みなされたもので、その目的とするところは、配管サポートの振動による損傷を抑制することができる配管支持装置を提供することにある。
【課題を解決するための手段】
【０００７】
本発明の配管支持装置は、上記目的を達成するために、複数の配管を、それぞれサポート部材を介して支持する配管支持装置であって、前記配管が振動した際の前記サポート部材の振動を抑制する振動抑制手段を備えていることを特徴とする。
【０００８】
具体的には、前記配管支持装置は、前記配管に固定されている複数の逆Ｕ字状のラグと、該ラグのそれぞれを支持する配管サポート鋼材とから成ると共に、前記配管サポート鋼材が建屋壁に固定されているものであり、かつ、前記振動抑制手段は、前記配管サポート鋼材と前記ラグの少なくともいずれか一方の支持部にフッ素加工が施されているものであることを特徴とする。
【０００９】
また、前記配管支持装置は、前記配管に固定されている複数の逆Ｕ字状のラグと、該ラグのそれぞれを支持する配管サポート鋼材とから成ると共に、前記配管サポート鋼材が建屋壁に固定されているものであり、かつ、前記振動抑制手段は、前記配管が振動した際に、その振動を受ける前記配管サポート鋼材に固定されたアタッチメント式補強材であることを特徴とする。
【発明の効果】
【００１０】
本発明によれば、配管サポートの振動による損傷を抑制することができる。
【図面の簡単な説明】
【００１１】
【図１】本発明の配管支持装置の実施例１を示す図である。
【図２】本発明の配管支持装置の実施例２であり、配管の軸直方向にアタッチメント式補強材を配置した例を示す図である。
【図３】本発明の配管支持装置の実施例２であり、配管の軸方向にアタッチメント式補強材を配置した例を示す図である。
【図４】本発明の配管支持装置の実施例２に採用されるアタッチメント式補強材の具体例を示す斜視図である。
【発明を実施するための形態】
【００１２】
以下、図示した実施例は基づいて本発明の配管支持装置を説明する。なお、各図において、同一構成部品には同符号を使用する。
【実施例１】
【００１３】
図１に、本発明の配管支持装置の実施例１を示す。
【００１４】
該図に示す如く、本実施例の配管支持装置は、配管１に溶接等により固定されている複数（本実施例では４個）の逆Ｕ字状のラグ２Ａ、２Ｂ、２Ｃ、２Ｄと、このラグ２Ａ、２Ｂ、２Ｃ、２Ｄのそれぞれを支持するサポート部材である配管サポート鋼材３Ａ、３Ｂ、３Ｃ、３Ｄとから成ると共に、配管サポート鋼材３Ｂ、３Ｄが配管サポート鋼材３Ａ、３Ｃに溶接等により接続され、その配管サポート鋼材３Ａ、３Ｃが建屋壁４に溶接等により固定されているものである。
【００１５】
そして、本実施例では、配管１が振動した際のサポート部材である配管サポート鋼材３Ａ、３Ｂ、３Ｃ、３Ｄの振動を抑制する振動抑制手段として、各配管サポート鋼材３Ａ、３Ｂ、３Ｃ、３Ｄと各ラグ２Ａ、２Ｂ、２Ｃ、２Ｄのいずれか一方の支持部に、フッ素加工５Ａ、５Ｂ、５Ｃ、５Ｄを施したものである（このフッ素加工５Ａ、５Ｂ、５Ｃ、５Ｄは、各配管サポート鋼材３Ａ、３Ｂ、３Ｃ、３Ｄと各ラグ２Ａ、２Ｂ、２Ｃ、２Ｄの両方に施しても構わない）。
【００１６】
即ち、本実施例では、配管１に溶接されている各ラグ２Ａ、２Ｂ、２Ｃ、２Ｄと各配管サポート鋼材３Ａ、３Ｂ、３Ｃ、３Ｄのいずれか一方に、フッ素加工５Ａ、５Ｂ、５Ｃ、５Ｄを施し、このフッ素加工５Ａ、５Ｂ、５Ｃ、５Ｄにより、各ラグ２Ａ、２Ｂ、２Ｃ、２Ｄと各配管サポート鋼材３Ａ、３Ｂ、３Ｃ、３Ｄが摩擦により擦れるのを防止している。
【００１７】
これにより、配管１が振動したとしても、その振動が配管サポート鋼材３Ａ、３Ｃと建屋壁４との溶接接合部等に与える影響を軽減することができる。
【００１８】
従って、本実施例によれば、配管１の振動が直接配管サポート鋼材３Ａ、３Ｂ、３Ｃ、３Ｄに伝播するのを抑制することができる。
【実施例２】
【００１９】
図２乃至図４に、本発明の配管支持装置の実施例２を示す。
【００２０】
該図に示す如く、本実施例の配管支持装置は、配管１に溶接等により固定されている複数（本実施例では４個）の逆Ｕ字状のラグ２Ａ、２Ｂ、２Ｃ、２Ｄと、このラグ２Ａ、２Ｂ、２Ｃ、２Ｄのそれぞれを支持するサポート部材である配管サポート鋼材３Ａ、３Ｂ、３Ｃ、３Ｄとから成ると共に、配管サポート鋼材３Ｂ、３Ｄが配管サポート鋼材３Ａ、３Ｃに溶接等により接続され、その配管サポート鋼材３Ａ、３Ｃが建屋壁４に溶接等により固定されているものである。
【００２１】
そして、本実施例では、配管１が振動した際のサポート部材である配管サポート鋼材３Ａ、３Ｂ、３Ｃ、３Ｄの振動を抑制する振動抑制手段として、各配管サポート鋼材３Ａ、３Ｂ、３Ｃ、３Ｄと各ラグ２Ａ、２Ｂ、２Ｃ、２Ｄのいずれか一方の支持部に、フッ素加工５Ａ、５Ｂ、５Ｃ、５Ｄを施すと共に（このフッ素加工５Ａ、５Ｂ、５Ｃ、５Ｄは、各配管サポート鋼材３Ａ、３Ｂ、３Ｃ、３Ｄと各ラグ２Ａ、２Ｂ、２Ｃ、２Ｄの両方に施しても構わない）、配管１が振動した際のサポート部材である配管サポート鋼材３Ａ、３Ｂ、３Ｃ、３Ｄの振動を抑制する振動抑制手段として、配管１が振動した際に、その振動を受ける配管サポート鋼材３Ｃに固定されたアタッチメント式補強材６を設置したものである（図２は、アタッチメント式補強材６を配管１の軸直方向に、図３は、アタッチメント式補強材６を配管１の軸方向に設置した例をそれぞれ示す）。
【００２２】
図４に、本発明に配管支持装置の実施例２に採用されるアタッチメント式補強材６の詳細を示す。
【００２３】
該図に示す如く、本実施例に採用されるアタッチメント式補強材６は、配管サポート鋼材３Ｃに設置される補強材クランプ部９と、この補強材クランプ部９に一端が固定されている補強材アーム部８と、この補強材アーム部８の他端に固定されている補強材基礎部７とから成り、補強材基礎部７が建屋壁４に密着するように設置されるものであり、補強材クランプ部９は、ボルトナット構造の締結部１０を用いて配管サポート鋼材３Ｃに固定されている。
【００２４】
即ち、本実施例では、配管１に溶接されている各ラグ２Ａ、２Ｂ、２Ｃ、２Ｄと各配管サポート鋼材３Ａ、３Ｂ、３Ｃ、３Ｄのいずれか一方に、フッ素加工５Ａ、５Ｂ、５Ｃ、５Ｄを施し、各ラグ２Ａ、２Ｂ、２Ｃ、２Ｄと各配管サポート鋼材３Ａ、３Ｂ、３Ｃ、３Ｄが摩擦により擦れるのを防止していると共に、更に、アタッチメント式補強材６を設置することにより、配管１が振動したとしても、その振動をアタッチメント式補強材６にも逃がすことができ、配管サポート鋼材３Ａ、３Ｃと建屋壁４との溶接接合部等に与える影響を軽減することができる。
【００２５】
なお、アタッチメント式補強材６は、補強材クランプ部９のようにアタッチメント式となっており、配管サポート鋼材３Ｃの任意の位置に対して任意の方向に設置することが可能である。従って、プラント運転中に任意の位置にアタッチメント式補強材６を設置することにより、配管１の振動の抑制効果を確認することができ、その振動抑制傾向を観察することにより、容易に適切な位置、方向にアタッチメント式補強材６を設置することが可能となる。
【００２６】
このように本実施例によれば、配管１に溶接されている各ラグ２Ａ、２Ｂ、２Ｃ、２Ｄと各配管サポート鋼材３Ａ、３Ｂ、３Ｃ、３Ｄのいずれか一方に、フッ素加工５Ａ、５Ｂ、５Ｃ、５Ｄを施し、各ラグ２Ａ、２Ｂ、２Ｃ、２Ｄと各配管サポート鋼材３Ａ、３Ｂ、３Ｃ、３Ｄが摩擦により擦れるのを防止し摩擦を軽減させることにより、配管１の振動が直接配管サポート鋼材３Ａ、３Ｂ、３Ｃ、３Ｄへ伝播するのを抑制できることは勿論、アタッチメント式補強材６を設置することにより、配管１が振動したとしても、その振動をアタッチメント式補強材６にも逃がすことができ、配管サポート鋼材３Ａ、３Ｂ、３Ｃ、３Ｄ及び配管サポート鋼材３Ａ、３Ｃと建屋壁４との溶接部の受ける荷重を分散させることができる。また、着脱可能なアタッチメント式補強材６を用いることにより、振動による損傷防止効果を確認しながら、適切な位置と方向にアタッチメント式補強材６を設置し、効率的な振動損傷防止対策ができる。
【００２７】
本実施例では、各ラグ２Ａ、２Ｂ、２Ｃ、２Ｄと各配管サポート鋼材３Ａ、３Ｂ、３Ｃ、３Ｄのいずれか一方に、フッ素加工５Ａ、５Ｂ、５Ｃ、５Ｄを施すと共に、アタッチメント式補強材６を設置した例につて説明したが、アタッチメント式補強材６を設置しただけでも、本発明の配管サポートの振動による損傷を抑制する効果は達成できる。
【００２８】
なお、本発明は上記した実施例に限定されるものではなく、様々な変形例が含まれる。上記した実施例は本発明を分かりやすく説明したものであり、必ずしも説明した全ての構成を備えるものに限定されるものではない。また、ある実施例の構成の一部を他の実施例の構成に置き換えることも可能であり、ある実施例の構成に他の実施例の構成を加えることも可能である。また、各実施例の構成の一部について、他の構成の追加・削除・置換をすることも可能である。
【符号の説明】
【００２９】
１…配管、２Ａ、２Ｂ、２Ｃ、２Ｄ…ラグ、３Ａ、３Ｂ、３Ｃ、３Ｄ…配管サポート鋼材、４…建屋壁、５Ａ、５Ｂ、５Ｃ、５Ｄ…フッ素加工、６…アタッチメント式補強材、７…補強材基礎部、８…補強材アーム部、９…補強材クランプ、１０…締結部。
【図１】
2016094947.tif 000003
【図２】
2016094947.tif 000004
【図３】
2016094947.tif 000005
【図４】
2016094947.tif 000006